(57)【要約】【課題】生地を傷め難くして毛玉を取ることができる毛玉取り器を提供する。【解決手段】毛玉取り器は、正逆回転可能に設けられる内刃（３０）と、内刃（３０）を覆って設けられる外刃とを備え、内刃（３０）を正回転させて毛玉を取る正回転モードと、内刃（３０）を逆回転させて毛玉を取る逆回転モードとに切り換え可能である。ここで、内刃（３０）は、外刃側にエッジ部（４０ａ）を有し、エッジ部（４０ａ）が内刃（３０）の正回転する方向に曲げられている。【選択図】図８
2015224396.tif 000002
【特許請求の範囲】
【請求項１】
正逆回転可能に設けられる内刃と、
前記内刃を覆って設けられる外刃と
を備え、
前記内刃を正回転させて毛玉を取る正回転モードと、前記内刃を逆回転させて毛玉を取る逆回転モードとに切り換え可能であることを特徴とする毛玉取り器。
【請求項２】
請求項１記載の毛玉取り器において、
前記内刃は、前記外刃側にエッジ部を有し、該エッジ部が該内刃の正回転する方向に曲げられていることを特徴とする毛玉取り器。
【請求項３】
請求項２記載の毛玉取り器において、
前記エッジ部が、５度以上、１０度以内で曲げられていることを特徴とする毛玉取り器。
【請求項４】
回転軸を有するモータと、
前記回転軸と接続される接続具と、
前記モータによって前記接続具を介して回転可能に設けられる内刃と、
前記内刃を覆って設けられる外刃と
を備え、
前記内刃は、前記外刃側にエッジ部を有し、該エッジ部が該内刃の回転する一方向とは反対の他方向に曲げられていることを特徴とする毛玉取り器。
【請求項５】
請求項４記載の毛玉取り器において、
前記接続具は、前記内刃が設けられる設置面を有し、該設置面から突起して前記内刃を前記他方向側から支持する支持部を備えることを特徴とする毛玉取り器。
【請求項６】
請求項５記載の毛玉取り器において、
前記支持部は、前記回転軸に近い内支持部と、該回転軸から遠い外支持部とを備え、
前記内支持部の高さが、前記外支持部の高さよりも高いことを特徴とする毛玉取り器。
【請求項７】
請求項４〜６のいずれか一項に記載の毛玉取り器において、
前記内刃は、前記一方向および前記他方向に回転可能に設けられ、
前記接続具は、前記内刃が設けられる側とは反対側に、前記接続具の回転中心から放射状に前記回転軸の軸方向と平行に起立して設けられるファン片を有することを特徴とする毛玉取り器。
【発明の詳細な説明】
【技術分野】
【０００１】
本発明は、毛玉取り器に適用して有効な技術に関する。
【背景技術】
【０００２】
毛玉取り器の使い方によっては、衣類などの生地（布地）に内刃が噛み込むことにより穴あきなどの傷（ダメージ）を生地に与えてしまうおそれがある。このため、生地を傷めずに毛玉を取ることができる技術が求められる。この点、特開２０００−２７３７５６号公報（以下、特許文献１という）に記載の技術では、内刃と外刃の摺動面から生地までの距離を長くするために外刃の形状や外刃キャップ（本願の生地ガードに相当する）の形状を工夫して、生地が傷むのを防止している。
【先行技術文献】
【特許文献】
【０００３】
【特許文献１】特開２０００−２７３７５６号公報
【発明の概要】
【発明が解決しようとする課題】
【０００４】
しかしながら、特許文献１に記載の技術では、内刃と外刃の摺動面から生地までの距離を長くとるため、生地表面に近い毛玉を取り去ることが困難になると考えられる。
【０００５】
本発明の目的は、生地を傷め難くして毛玉を取ることができる毛玉取り器を提供することにある。本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
本発明の一実施形態に係る毛玉取り器は、正逆回転可能に設けられる内刃と、前記内刃を覆って設けられる外刃とを備え、前記内刃を正回転させて毛玉を取る正回転モードと、前記内刃を逆回転させて毛玉を取る逆回転モードとに切り換え可能であることを特徴とする。
【０００８】
これによれば、内刃の回転方向を切り換えて内刃の両面側のそれぞれから毛玉を刈り取ることで、内刃の耐久性を向上させることができる。したがって、毛玉取り器を多数回使用したとしても、生地を傷め難くして毛玉を取ることができる。
【０００９】
前記一実施形態に係る毛玉取り器において、前記内刃は、前記外刃側にエッジ部を有し、該エッジ部が該内刃の正回転する方向に曲げられていることが好ましい。
【００１０】
これによれば、内刃が逆回転する際に、曲げられたエッジ部が後追いするので、内刃によって生地が噛み込まれるのを防止することができ、生地を傷めずに毛玉を取ることができる。
【００１１】
また、前記一実施形態に係る毛玉取り器において、前記エッジ部が、５度以上、１０度以内で曲げられていることが好ましい。
【００１２】
内刃の正逆回転方向の違いによってモード（例えば、後述するソフトモードとノーマルモード）を使い分けることができるが、エッジ部の曲げ角度が、５度以上、１０度以内であることで、各モードの機能を確保することができる。
【００１３】
本発明の他の実施形態に係る毛玉取り器は、回転軸を有するモータと、前記回転軸と接続される接続具と、前記モータによって前記接続具を介して回転可能に設けられる内刃と、前記内刃を覆って設けられる外刃とを備え、前記内刃は、前記外刃側にエッジ部を有し、該エッジ部が該内刃の回転する一方向とは反対の他方向に曲げられていることを特徴とする。
【００１４】
これによれば、曲げられたエッジ部が後追いするようにして回転するので、内刃によって生地が噛み込まれるのを防止することができ、生地を傷めずに毛玉を取ることができる。
【００１５】
前記他の実施形態に係る毛玉取り器において、前記接続具は、前記内刃が設けられる設置面を有し、該設置面から突起して前記内刃を前記他方向側から支持する支持部を備えることが好ましい。
【００１６】
これによれば、回転によって内刃が傾きすぎて、毛玉の刈り取り能力が低下してしまうのを防止することができる。
【００１７】
また、前記他の実施形態に係る毛玉取り器において、前記支持部は、前記回転軸に近い内支持部と、該回転軸から遠い外支持部とを備え、前記内支持部の高さが、前記外支持部の高さよりも高いことがより好ましい。
【００１８】
これによれば、毛玉を取る際に生地に近くなる回転軸側の内支持部の高さを高くすることで、回転によって回転軸側の内刃が傾きすぎて、毛玉の刈り取り能力が低下してしまうのを防止することができる。
【００１９】
また、前記他の実施形態に係る毛玉取り器において、前記内刃は、前記一方向および前記他方向に回転可能に設けられ、前記接続具は、前記内刃が設けられる側とは反対側に、前記接続具の回転中心から放射状に前記回転軸の軸方向と平行に起立して設けられるファン片を有することが好ましい。
【００２０】
これによれば、接続具が一方向に回転しても、他方向に回転しても、回転方向に対してファン片が同じ角度（９０度）をなして回転するので、生地から刈り取られた毛玉が外刃から外側へ放出されるのを防止することができる。
【発明の効果】
【００２１】
本願において開示される発明のうち、代表的なものによって得られる効果を簡単に説明すれば、次のとおりである。
【００２２】
本発明の一実施形態に係る毛玉取り器によれば、生地を傷め難くして毛玉を取ることができる。
【図面の簡単な説明】
【００２３】
【図１】本発明の一実施形態に係る毛玉取り器の模式的斜視図である。
【図２】図１に示す毛玉取り器の模式的断面図である。
【図３】図１に示す毛玉取り器の模式的分解斜視図である。
【図４】図１に示す毛玉取り器の模式的分解斜視図である。
【図５】本発明の一実施形態に係る内刃セットの模式的斜視図である。
【図６】図５に示す内刃セットの模式的正面図である。
【図７】図５に示す内刃セットの模式的背面図である。
【図８】図５に示す内刃セットの模式的側面図である。
【図９】図５に示す内刃セットの模式的側面図である。
【図１０】内刃におけるエッジ部の曲げ角度を説明するための図である。
【発明を実施するための形態】
【００２４】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００２５】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２６】
（毛玉取り器の概略）
本発明の実施形態に係る毛玉取り器１０の概略について、主に図１〜図４を参照して説明する。図１は、毛玉取り器１０の模式的斜視図である。図２は、毛玉取り器１０の内部を示す模式的断面図である。図３および図４は、毛玉取り器１０の模式的分解斜視図である。
【００２７】
毛玉取り器１０は、その本体（本体ケース）が側面視（図２参照）で逆Ｕ字状である。毛玉取り器１０は本体側において、持ち手部１１と、ネック部１２と、主に毛玉を刈り取るヘッド部１３（刃部）と、刈り取った毛玉などの屑を収容するダスト収容部１４とを備える。
【００２８】
持ち手部１１は、毛玉取り器１０を使用する際に握り易いように形成される。毛玉取り器１０は、持ち手部１１の内部に毛玉取り器１０の電源となる電池２０（乾電池）を備える。また、毛玉取り器１０は、持ち手部１１の一端部側に電池２０を交換可能に開閉する蓋部２１を備える。なお、毛玉取り器１０は、乾電池式に限らず、ＡＣアダプタからの電源供給を得る充電池式であってもよい。
【００２９】
持ち手部１１の他端部側には、ネック部１２が設けられる。毛玉取り器１０は、ネック部１２の外部にスイッチボタン２２と、ネック部１２の内部に回転軸２５（出力軸）を有するモータ２３（電動モータ）およびＰＣＢ（printed circuit board）板２４とを備える。
【００３０】
ＰＣＢ板２４にはスイッチボタン２２との電気的接点が設けられる。毛玉取り器１０では、スイッチボタン２２の切り換えによってＰＣＢ板２４を介して電池２０からモータ２３へ電力が供給可能となるように構成されている。このモータ２３は、極性の切り換えによって時計回り方向（逆回転方向、一方向）およびこれとは反対の反時計回り方向（正回転方向、他方向）にそれぞれ同じ回転数で回転軸２５を回転させる。この回転軸２５には、後述する接続具２７と接続されるモータジョイント２６が固定される。なお、モータ２３の回転方向によって回転数を異ならせることもできる。
【００３１】
スイッチボタン２２は、生地の状態や毛玉の大きさによって毛玉取り器１０の使用モードを切り換えるために、例えば上中下段の３つの位置間で往復動可能に設けられる。毛玉取り器１０は、例えば、スイッチボタン２２が上段の位置でノーマルモード、中段の位置で停止モード、下段の位置でソフトモードと切り換えられる。毛玉取り器１０の使用モードは、モータ２３が有する回転軸２５の回転方向が異なり、例えば、ソフトモードでは時計回り（逆回転方向）に、ノーマルモードでは反時計回り（正回転方向）に回転する。ノーマルモードは毛玉が大きい厚い生地などに使用し、ソフトモードは毛足が小さい薄い生地などに使用される。
【００３２】
持ち手部１１側からネック部１２を経た先には、ヘッド部１３が設けられる。毛玉取り器１０は、ヘッド部１３の内部側に接続具２７および内刃３０と、ヘッド部１３の外部側に外刃３１とを備える。
【００３３】
接続具２７は、内刃３０が設けられる設置面２７ａを有し、内刃３０を回転可能に支持する内刃支持具である。この接続具２７は、回り止めされるように、モータジョイント２６と嵌め合わされる軸筒２８を有する。接続具２７の軸筒２８は、モータジョイント２６を介して、ヘッド部１３の内部に延出するモータ２３の回転軸２５と接続される。
【００３４】
内刃３０は、モータ２３によって接続具２７を介し、モータ２３の極性の切り換えによって時計回り方向（逆回転方向、一方向）および反時計回り方向（正回転方向、他方向）に回転可能に設けられる。内刃３０は、接続具２７に取り付けられた状態（内刃セットともいう）で、モータジョイント２６に対して軸方向（軸が延在する方向）に着脱可能である。
【００３５】
また、外刃３１は、ヘッド部１３へ螺着可能なリング状のキャップ部３２にドーム状に取り付けられた状態（外刃セットともいう）で、ヘッド部１３に対して着脱可能である。外刃３１は、図示しない刃孔を有し、内刃３０を覆って設けられる。例えば、内刃３０が回転した状態では内刃３０が外刃３１の内面に接しており、外刃３１の刃孔に入り込まれた毛玉が、内刃３０によって刈り取られ、そのままヘッド部１３の内部に取り込まれることとなる。
【００３６】
ヘッド部１３の下方側には、ダスト収容部１４が設けられる。ヘッド部１３の内部と、ダストボックス１４の内部とは、ヘッド部１３の開口部１３ａ（図３参照）を介して連通している。そして、ダスト収容部１４には、接続具２７（ファン）の回転で発生するエア流と共に、ヘッド部１３で取り込まれた毛玉が送り込まれる。なお、接続具２７は、内刃３０が設けられる側とは反対側に、エア流を発生させるためのファン片２９を有する。
【００３７】
ダスト収容部１４は、エア孔３３を有するダストボックス３４を備える。エア孔３３を設けることで、ヘッド部１３からダスト収容部１４へエア流を発生させ易くなる。ダストボックス３４は、ダスト収容部１４において、スライド式に脱着できるように構成される。ダストボックス３４に毛玉が溜まったら、例えば指かけ部３４ａに指をかけて下方にダストボックス３４をスライドさせて取り外し、毛玉を捨てることができる。
【００３８】
このような毛玉取り器１０を用いて毛玉を取る場合は、まず、セーター、洋服、くつ下、毛布などの生地において、毛玉を取りたい部分を平らな所におき、生地の皺を伸ばす。次いで、スイッチボタン２２をオン状態（ノーマルモードまたはソフトモード）にする。次いで、生地に沿ってヘッド部１３を動かして毛玉を取る。
【００３９】
このように、毛玉取り器１０は、例えば、内刃３０が時計回り方向（逆回転方向）に回転して生地の保護を優先させたソフトモード（逆回転モード）となる機能と、内刃３０が反時計回り方向（正回転方向）に回転して刈り取り能力を優先させたノーマルモード（正回転モード）となる機能とを含む。すなわち、毛玉取り器１０は、使用者が用途（使用状況）に応じて、内刃３０の回転方向をスイッチ操作で切り換える（選択する）ことにより、生地に穴があいてしまうのを防止することができる構造を備える。使用者が用途に応じて一台でモード切り換え選択できることにより、様々な衣類生地へ穴あきさせることなく対応でき、利便性が向上する。
【００４０】
また、内刃３０の回転方向を切り換えて内刃３０の両面側のそれぞれから毛玉を刈り取ることで、内刃３０の耐久性を向上させることができる。したがって、毛玉取り器１０を多数回使用したとしても、生地を傷め難くして毛玉を取ることができる。
【００４１】
なお、毛玉取り器１０は、付属品として、ヘッド部１３に着脱可能なリング状の生地ガード１５を備えることもできる（図３、図４参照）。生地ガード１５は、生地の状態や毛玉の大きさによって、外刃３１の表面から生地までの間隔を調節可能である。この生地カード１５を用いることで、生地が痛むのをより防止することができる。
【００４２】
（ヘアーアイロンの具体的構成）
次に、生地を傷め難くして毛玉を取るための、ヘアーアイロン１０の具体的構成について、図１〜図４と合わせて、図５〜図１０を参照して説明する。図５は、接続具２７に取り付けられた状態の内刃３０（内刃セット）の模式的斜視図である。また、図６および図７は、それぞれ内刃セットの模式的正面図および模式的背面（底面）図である。また、図８および図９は、それぞれ異なる方向から視た内刃セットの模式的側面図である。図１０は、内刃３０におけるエッジ部４０ａの曲げ角度を説明するための図である。
【００４３】
接続具２７に取り付けられた状態の内刃３０は、軸筒２８が回転軸となる接続具２７の軸方向（回転中心Ｏを通る）と平行する面内に設けられる板状の刃部４０を有する（図６参照）。そして、内刃３０は、この刃部４０において外刃３１の内面側にエッジ部４０ａを有する。内刃３０における刃部４０は、回転中心Ｏから放射状（径方向）となるように、周方向に等間隔に複数（本実施形態では、３つ）設けられる。
【００４４】
また、内刃３０は、エッジ部４０ａが外刃３１の内面に接するように、外刃３１の内面に対して刃部４０が弾力性を有して構成される。具体的には、内刃３０は、回転軸の軸方向（回転中心Ｏを通る）と直交する面内に設けられる板状のアーム部４１を有する。このアーム部４１は、刃部４０に対応して回転中心Ｏから複数（本実施形態では、周方向に等間隔で３つ）に別れて設けられる。そして、このアーム部４１の先端部で垂直に起立するように刃部４０が設けられる。内刃３０は、回転中心Ｏ側から枝分かれしたアーム部４１の中途部において、固定具４２によって接続具２７に取り付けられる。
【００４５】
本実施形態では、図８、図１０に示すように、内刃３０は、回転軸の軸方向Ｐ（軸筒２８の長さ方向）と平行な方向にある刃部４０のエッジ部４０ａが内刃３０の回転する時計回り方向Ａ（逆回転方向、一方向）とは反対の反時計回り方向Ｂ（正回転方向、他方向）に曲げられている。
【００４６】
具体的には、軸方向Ｐと平行な方向にある接続具２７側の刃部４０の部分からそのエッジ部４０ａ（先端部分）が曲げ角度θで曲げられている。図１０によれば、刃部４０は、時計回り方向Ａ（逆回転方向）側の面Ｓａおよび反時計回り方向（正回転方向）Ｂ側の面Ｓｂを有し、そのエッジ部４０ａが面Ｓａ側で山折り（面Ｓｂ側で谷折り）となるように曲げられている。すなわち、面Ｓｂの曲げ角度θｂに対して、面Ｓａの曲げ角度θａが大きくなる。
【００４７】
このため、内刃３０を時計回り方向Ａ（逆回転方向）に回転させるソフトモードでは、曲げ角度θａの大きいエッジ部４０ａが後追いする（外刃３１の内面を舐める）ようにして回転するので、内刃３０によって生地が噛み込まれるのを防止することができ、生地を傷め難くして毛玉を取ることができる。他方、内刃３０を反時計回り方向Ｂ（正回転方向）に回転させるノーマルモードでは、曲げ角度θｂの小さいエッジ部４０ａが先行する（外刃３１の内面を突き刺す）ようにして回転するので、例えば大きな毛玉であっても容易に取ることができる。このように、本実施形態に係る毛玉取り器１０では、ノーマルモードに対してソフトモードは、生地への負担が少なく穴あきなどが防止されるモードとなる。
【００４８】
本実施形態では、曲げ角度θを１０度としているが、曲げ角度θは、５度以上、１０度以内であることが好ましい。エッジ部４０ａの曲げ角度θが５度より小さくなると、ソフトモードとノーマルモードの差が小さくなってしまい、エッジ部４０ａの曲げ角度θが１０度より大きくなると、内刃３０が時計回り方向Ａ（逆回転方向）に回転しても毛玉の刈り取り能力が低下してしまう。このように内刃３０の回転方向の違いによってモードを使い分けることができるが、エッジ部４０の曲げ角度θが、５度以上、１０度以内であることで、各モードの機能を確保することができる。
【００４９】
また、本実施形態では、図８に示すように、毛玉取り器１０は、接続具２７の設置面２７ａから突起して内刃３０の刃部４０を反時計回り方向Ｂ（正回転方向）側から支持する支持部４３を備える。前述したように、エッジ部４０ａが曲げ角度θで曲げられているので、時計回り方向Ａ（逆回転方向）に内刃３０が回転するとエッジ部４０ａが後追いする。このため、内刃３０が回転した際に刃部４０が傾きすぎて、毛玉の刈り取り能力が低下してしまうおそれがある。この点、支持部４３を設けることで、内刃３０が回転した際に刃部４０が傾きすぎて、毛玉の刈り取り能力が低下してしまうのを防止することができる。
【００５０】
ここで、支持部４３は、回転中心Ｏ（回転軸２５、軸筒２８）の近くに設けられる内支持部４３ａと、回転中心Ｏから遠くに設けられる外支持部４３ｂとを備え、内支持部４３ａの高さが、外支持部４３ｂの高さよりも高いことがより好ましい。これによれば、毛玉を取る際に生地に近くなる回転中心Ｏ側の内支持部４３ａの高さを高くすることで、回転によって回転中心Ｏ側となる内刃３０の刃部４０が傾きすぎて、毛玉の刈り取り能力が低下してしまうのを防止することができる。
【００５１】
また、本実施形態では、図７、図９に示すように、接続具２７は、内刃３０が設けられる設置面２７ａ側とは反対側の裏面に、軸筒２８が回転軸となる接続具２７の軸方向（回転中心Ｏを通る）と平行する面内に設けられる板状のファン片２９を有する。すなわち、接続具２７は、ファンとしての機能を備える。ファン片２９は、回転中心Ｏから放射状（径方向）となるように、周方向に等間隔に複数（本実施形態では、３つ）設けられる。
【００５２】
これによれば、接続具２７が時計回り方向Ａ（逆回転方向）に回転しても、反時計回り方向Ｂ（正回転方向）に回転しても、回転方向に対してファン片２９が同じ角度（垂直である９０度）をなして回転することとなる。したがって、接続具２７が設けられるヘッド部１３の内部では、接続具２７がいずれの方向に回転しても、その発生するエア流がダスト収容部１４側へ向かい、生地から刈り取られた毛玉が外刃から外側へ放出されるのを防止することができる。
【００５３】
以上、本発明を実施形態に基づき具体的に説明したが、本発明は前記実施形態に限定されるものではなく、その要旨を逸脱しない範囲で種々変更可能であることはいうまでもない。
【００５４】
例えば、前記実施形態では、生地の状態や毛玉の大きさによって毛玉の取り方の目安となるソフトモードとノーマルモードの２つのモード（機能）を備える毛玉取り器に適用した場合について説明した。これに限らず、ソフトモードのみを備える毛玉取り器に適用して生地を傷め難くして毛玉を取ることができる。
【００５５】
また、例えば、前記実施形態では、電気式にモータの極性の切り換えによって内刃を正逆回転させる場合について説明した。これに限らず、機械的な機構（複数の歯車の切り換え）により内刃を正逆回転させる場合でもよい。
【符号の説明】
【００５６】
１０：毛玉取り器、  １１：持ち手部、  １２：ネック部、
１３：ヘッド部、  １３ａ：開口部、  １４：ダスト収容部、
１５：生地ガード、  ２０：電池、  ２１：蓋部、
２２：スイッチボタン、  ２３：モータ、  ２４：ＰＣＢ板、
２５：回転軸、  ２６：モータジョイント、  ２７：接続具、
２７ａ：設置面、  ２８：軸筒、  ２９：ファン片、
３０：内刃、  ３１：外刃、  ３２：キャップ部、
３３：エア孔、  ３４：ダストボックス、  ３４ａ：指かけ部、
４０：刃部、  ４０ａ：エッジ部、  ４１：アーム部、
４２：固定具、  ４３：支持部、  ４３ａ：内支持部、
４３ｂ：外支持部。
【図１】
2015224396.tif 000003
【図２】
2015224396.tif 000004
【図３】
2015224396.tif 000005
【図４】
2015224396.tif 000006
【図５】
2015224396.tif 000007
【図６】
2015224396.tif 000008
【図７】
2015224396.tif 000009
【図８】
2015224396.tif 000010
【図９】
2015224396.tif 000011
【図１０】
2015224396.tif 000012